【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
頭部伝達関数を用いてユーザの周りの空間の第１の位置にある音源を仮想的に定位させた音データを前記ユーザに向けて再生する再生部と、
前記再生された音データを聴取した前記ユーザが、前記音源の位置として推定した前記ユーザの周りの空間の第２の位置を示す情報を取得する推定位置情報取得部と、
前記第１の位置と前記第２の位置との関係に基づいて電子機器の少なくとも一部の機能を有効にするか否かを判定する判定部と
を備える機能制御装置。
【請求項２】
前記頭部伝達関数は、前記ユーザに対応する頭部伝達関数であり、
前記判定部は、前記第１の位置と前記第２の位置とが符合した場合に前記少なくとも一部の機能を有効にすることを決定する、請求項１に記載の機能制御装置。
【請求項３】
前記判定部は、前記第１の位置と前記第２の位置とが符合した場合に前記ユーザに対してアクセスが許可されたコンテンツの再生機能を有効にすることを決定する、請求項２に記載の機能制御装置。
【請求項４】
前記頭部伝達関数は、第１の属性を有するユーザ群に対応する第１の頭部伝達関数であり、
前記判定部は、前記第１の位置と前記第２の位置との関係に基づいて前記ユーザが前記第１の属性を有すると推定される場合に前記少なくとも一部の機能を有効にすることを決定する、請求項１に記載の機能制御装置。
【請求項５】
前記再生部は、前記第１の頭部伝達関数を用いて前記音源を仮想的に定位させた第１の音データと、前記第１の属性とは異なる第２の属性を有するユーザ群に対応する第２の頭部伝達関数を用いて前記音源を仮想的に定位させた第２の音データとを前記ユーザに向けて再生し、
前記判定部は、前記第２の位置が、前記第１の音データと前記第２の音データとのうちのいずれの前記第１の位置に対応するかに基づいて前記ユーザが前記第１の属性を有するか前記第２の属性を有するかを判定する、請求項４に記載の機能制御装置。
【請求項６】
前記推定位置情報取得部は、前記第２の位置を示す情報として前記ユーザの視線の検出結果を取得する、請求項１〜５のいずれか１項に記載の機能制御装置。
【請求項７】
前記推定位置情報取得部は、前記第２の位置を示す情報として前記ユーザのジェスチャの検出結果を取得する、請求項１〜５のいずれか１項に記載の機能制御装置。
【請求項８】
前記第１の位置は、前記音データの再生中に連続的に移動し、
前記推定位置情報取得部は、前記第２の位置を示す情報を連続的に取得し、
前記判定部は、前記第１の位置の軌跡と前記第２の位置の軌跡との関係に基づいて前記少なくとも一部の機能を有効にするか否かを判定する、請求項１〜５のいずれか１項に記載の機能制御装置。
【請求項９】
前記推定位置情報取得部は、前記第２の位置を示す情報として前記ユーザの視線の検出結果を連続的に取得する、請求項８に記載の機能制御装置。
【請求項１０】
前記推定位置情報取得部は、前記第２の位置を示す情報として前記ユーザのジェスチャの検出結果を連続的に取得する、請求項８に記載の機能制御装置。
【請求項１１】
前記第１の位置は、前記ユーザの周りの空間において予め定められた位置群のうちのいずれかの位置である、請求項１〜７のいずれか１項に記載の機能制御装置。
【請求項１２】
前記再生部は、前記音データの再生を所定の回数繰り返し、
前記推定位置情報取得部は、前記第２の位置を示す情報の取得を前記所定の回数繰り返し、
前記判定部は、前記所定の回数の繰り返しのうち、前記第１の位置と前記第２の位置とが所定の関係を満たした回数が閾値以上である場合に前記少なくとも一部の機能を有効にすることを決定する、請求項１〜１１のいずれか１項に記載の機能制御装置。
【請求項１３】
前記音データを生成する生成部をさらに備える、請求項１〜１２のいずれか１項に記載の機能制御装置。
【請求項１４】
前記ユーザの周りの空間の所定の位置群にそれぞれ定位する音データ群から前記音データを選択して前記再生部に提供する音データ選択部をさらに備える、請求項１〜１２のいずれか１項に記載の機能制御装置。
【請求項１５】
前記電子機器は、ヘッドマウントディスプレイであり、
前記判定部は、前記第１の位置と前記第２の位置との関係に基づいて前記ユーザが所定の年齢以上であると推定される場合に、前記ヘッドマウントディスプレイのコンテンツ再生機能を有効にすることを決定する、請求項１〜１４のいずれか１項に記載の機能制御装置。
【請求項１６】
前記再生部は、前記ヘッドマウントディスプレイのヘッドフォンを介して前記音データを再生する、請求項１５に記載の機能制御装置。
【請求項１７】
前記ヘッドマウントディスプレイが前記ユーザによって装着されたことを検出する装着検出部をさらに備え、
前記再生部は、前記装着されたことが検出された場合に前記音データを再生する、請求項１５または１６に記載の機能制御装置。
【請求項１８】
頭部伝達関数を用いてユーザの周りの空間の第１の位置にある音源を仮想的に定位させた音データを前記ユーザに向けて再生する機能と、
前記再生された音データを聴取した前記ユーザが、前記音源の位置として推定した前記ユーザの周りの空間の第２の位置を示す情報を取得する機能と、
前記第１の位置と前記第２の位置との関係に基づいて電子機器の少なくとも一部の機能を有効にするか否かを判定する機能と
をコンピュータに実現させるためのプログラム。
【手続補正２】
【補正対象書類名】明細書
【補正対象項目名】０１０４
【補正方法】変更
【補正の内容】
【０１０４】
視線入力部２１７は、再生部１１５によって再生された音データを聴取したユーザの視線の検出結果を連続的に取得する。つまり、視線入力部２１７は、ユーザの視線の移動軌跡を取得する。視線の移動軌跡は、移動する音源を仮想的に再生した音データを聴取したユーザが、音源の軌跡を推定した回答、すなわち第２の位置の軌跡として扱われる。ユーザの視線の検出には、例えばＨＭＤ２０に、ユーザの左眼および右眼を捉えるように配置されたカメラが用いられうる。この場合、ユーザの視線（注視点）は、例えば、カメラの画像からユーザの黒目と白目の領域を認識し、黒目がどこを向いているかを判定することによって識別されうる。なお、ユーザの視線を検出するための構成としては、この例の他にも公知のさまざまな技術を利用することが可能である。
【手続補正３】
【補正対象書類名】明細書
【補正対象項目名】０１１８
【補正方法】変更
【補正の内容】
【０１１８】
一方、ステップＳ２１７において、仮想音源の再生が所定の回数繰り返されたと判定されなかった場合、ステップＳ２０３からの仮想音源の再生の処理が再度実行される。このとき、ステップＳ２０３では、仮想音源の軌跡が再度ランダムに設定されうる。なお、所定の回数は１回であってもよく、その場合ステップＳ２１７は実行されない。
【手続補正４】
【補正対象書類名】明細書
【補正対象項目名】０１６２
【補正方法】変更
【補正の内容】
【０１６２】
まず、ユーザＩＤ設定部４０１が、ロック解除の処理に用いるユーザＩＤを設定する（ステップＳ４０１）。次に、仮想音源位置設定部１０７が、仮想音源の位置をランダムに設定する（ステップＳ４０３）。ここで、仮想音源位置設定部１０７は、仮想音源の位置を、上述の位置Ｓ１〜Ｓ９の中からランダムに選択する。